(57)【要約】【課題】複数の同芯巻部を用いてコイルを形成する場合に、１つのスロット内において径方向に並んで配置されるコイル辺部の本数を奇数とすることが容易なコイルを実現する。【解決手段】第一延在部８１と第三延在部８３とが、第二同芯巻部１２の渡り部５０の周方向Ｃの配置領域内において接続され、第二延在部８２と第四延在部８４とが、第二同芯巻部１２の渡り部５０の周方向Ｃの配置領域内において接続される。第一延在部８１及び第三延在部８３の一方が、他方に対して径第一方向Ｒ１側にオフセットして配置されると共に、特定渡り部５０ａにおける第二層第二コイル辺部３２ｂとの接続部から周第一方向Ｃ１側に延びる部分と、特定渡り部５０ａにおける第二層第一コイル辺部３１ｂとの接続部から周第二方向Ｃ２側に延びる部分とのうちの一方が、他方に対して径第二方向Ｒ２側にオフセットして配置される。【選択図】図２
2016123249.tif 000002
【特許請求の範囲】
【請求項１】
軸方向及び径方向に延びるスロットが周方向に複数分散配置されているコアに巻装されるコイルであって、
一対の前記スロット間に複数回巻回される同芯巻部を複数備え、
前記同芯巻部のそれぞれは、前記周方向の一方側である周第一方向側に配置される第一コイル辺部と、前記周第一方向とは反対側である周第二方向側に配置され且つ前記第一コイル辺部と同数の第二コイル辺部とを、前記スロットの内部に配置されるコイル辺部として備えると共に、互いに異なる前記スロット内に配置される前記第一コイル辺部と前記第二コイル辺部とを前記コアに対して前記軸方向の外側において接続する渡り部を備え、
前記複数の同芯巻部には、複数本の前記第一コイル辺部を備える第一同芯巻部と、前記第一同芯巻部に比べて１本少ない本数の前記第一コイル辺部を備える第二同芯巻部の２種類が含まれ、
前記径方向の一方側を径第一方向側とし、前記径第一方向とは反対側を径第二方向側とし、前記スロット内の最も前記径第一方向側の層である第一層に配置される前記第一コイル辺部を第一層第一コイル辺部とし、前記スロット内の最も前記径第二方向側の層である第二層に配置される前記第一コイル辺部及び前記第二コイル辺部をそれぞれ第二層第一コイル辺部及び第二層第二コイル辺部として、
前記第一同芯巻部は、前記第一層第一コイル辺部における前記渡り部との接続部とは反対側の端部から前記周第一方向側に延びる第一延在部と、前記第二層第二コイル辺部における前記渡り部との接続部とは反対側の端部から前記周第二方向側に延びる第二延在部と、前記第二層第一コイル辺部と前記第二層第二コイル辺部とを接続する前記渡り部である特定渡り部とを備え、
前記第二同芯巻部は、前記第一層第一コイル辺部における前記渡り部との接続部とは反対側の端部から前記周第二方向側に延びる第三延在部と、前記スロット内の前記第二層に対して前記径第一方向側に隣接する層に配置される前記第二コイル辺部における前記渡り部との接続部とは反対側の端部から前記周第一方向側に延びる第四延在部とを備え、
１つの前記スロットには、前記第一同芯巻部の前記第二層第二コイル辺部を除いて、前記第一同芯巻部及び前記第二同芯巻部の一方の前記第一コイル辺部と、他方の前記第二コイル辺部とが前記径方向に交互に配置され、
前記第一同芯巻部の前記第一延在部の先端部に設けられた第一接続部と、当該第一同芯巻部の前記第一コイル辺部が配置される前記スロットに前記第二コイル辺部が配置される前記第二同芯巻部の、前記第三延在部の先端部に設けられた第三接続部とが、当該第二同芯巻部の前記渡り部の前記周方向の配置領域内において接続され、
前記第一同芯巻部の前記第二延在部の先端部に設けられた第二接続部と、当該第一同芯巻部の前記第二コイル辺部が配置される前記スロットに前記第一コイル辺部が配置される前記第二同芯巻部の、前記第四延在部の先端部に設けられた第四接続部とが、当該第二同芯巻部の前記渡り部の前記周方向の配置領域内において接続され、
前記第一延在部及び前記第三延在部の一方が、他方に対して前記径第一方向側にオフセットして配置されると共に、前記特定渡り部における前記第二層第二コイル辺部との接続部から前記周第一方向側に延びる部分と、前記特定渡り部における前記第二層第一コイル辺部との接続部から前記周第二方向側に延びる部分とのうちの一方が、他方に対して前記径第二方向側にオフセットして配置されているコイル。
【請求項２】
前記第一接続部及び前記第三接続部を介して接続される前記第一延在部及び前記第三延在部のそれぞれは、前記径方向に見て、前記第二同芯巻部の前記渡り部と重複する部分を有するように配置され、
前記第二接続部及び前記第四接続部を介して接続される前記第二延在部及び前記第四延在部のそれぞれは、前記径方向に見て、前記第二同芯巻部の前記渡り部と重複する部分を有するように配置されている請求項１に記載のコイル。
【請求項３】
前記第一延在部と前記第三延在部との間の前記径方向のオフセット量は、前記第一延在部の前記径方向の幅と前記第三延在部の前記径方向の幅との和の半分以上であって当該和以下に設定され、
前記特定渡り部における前記第二層第二コイル辺部との接続部から前記周第一方向側に延びる部分と、前記特定渡り部における前記第二層第一コイル辺部との接続部から前記周第二方向側に延びる部分との間の前記径方向のオフセット量は、それぞれの部分の前記径方向の幅の和の半分以上であって当該和以下に設定されている請求項１又は２に記載のコイル。
【請求項４】
前記第一接続部及び前記第三接続部のそれぞれの先端部は、前記径第一方向側に向かって延びるように形成され、
前記第二接続部及び前記第四接続部のそれぞれの先端部は、前記径第二方向側に向かって延びるように形成されている請求項１から３のいずれか一項に記載のコイル。
【請求項５】
１つの前記スロットには、前記第一同芯巻部の前記第二層第二コイル辺部を除いて前記第一コイル辺部と前記第二コイル辺部とが１本ずつ前記径方向に交互に配置されると共に、互いに異なる前記スロット内の互いに隣接する層にそれぞれ配置される前記第一コイル辺部と前記第二コイル辺部とが前記特定渡り部以外の前記渡り部により接続され、
前記渡り部のそれぞれは、前記周方向における中間部分に、前記同芯巻部を構成する線状導体を前記径方向にオフセットさせるオフセット部を備え、
前記オフセット部は、前記渡り部における当該オフセット部から前記線状導体の巻回方向に沿って前記第一層第一コイル辺部側とは反対側に向かう部分を、前記渡り部における当該オフセット部から前記線状導体の巻回方向に沿って前記第一層第一コイル辺部側に向かう部分に対して、前記径第二方向側にオフセットさせるように形成されている請求項１から４のいずれか一項に記載のコイル。
【発明の詳細な説明】
【技術分野】
【０００１】
本発明は、軸方向及び径方向に延びるスロットが周方向に複数分散配置されているコアに巻装されるコイルに関する。
【背景技術】
【０００２】
上記のようなコイルとして、特開２０１２−１２５０４３号公報（特許文献１）に記載されたものが知られている。特許文献１には、一対のスロット間に複数回巻回される同芯巻部を複数用いて、コイルを形成する技術が記載されている。具体的には、特許文献１の第１の実施形態に記載の構成では、当該文献の図７に示されるような平角導体を５周巻回して形成される同芯巻部を用いる。この同芯巻部は、周方向の一方側と他方側のそれぞれに５本のコイル辺部を有し、当該文献の図１０に示されるように、当該５本のコイル辺部は、スロット内において径方向に沿って隙間をあけながら一列に並ぶように配置される。そして、１つのスロット内に形成される５個の隙間のそれぞれに、同相の他の同芯巻部の５本のコイル辺部が配置される。この結果、１つのスロットには、合計で１０本のコイル辺部が径方向に並んで配置される。
【先行技術文献】
【特許文献】
【０００３】
【特許文献１】特開２０１２−１２５０４３号公報（段落００４０、図７、図１０）
【発明の概要】
【発明が解決しようとする課題】
【０００４】
ところで、コイルが回転電機用のコイルである場合に、回転電機が発生可能なトルクや回転電機に発生する逆起電力の大きさは、１つのスロットに配置されるコイル辺部の本数に応じて変化する。そのため、所望の回転電機の特性を得るために、１つのスロット内において径方向に並んで配置されるコイル辺部の本数（ターン数）を、奇数にすることが望ましい場合がある。しかしながら、特許文献１に記載の構成では、１つのスロット内において径方向に並んで配置されるコイル辺部の本数は常に偶数となるため、上記のような要求を適切に満たすことができない。
【０００５】
そこで、複数の同芯巻部を用いてコイルを形成する場合に、１つのスロット内において径方向に並んで配置されるコイル辺部の本数を奇数とすることが容易なコイルの実現が望まれる。
【課題を解決するための手段】
【０００６】
上記に鑑みた、軸方向及び径方向に延びるスロットが周方向に複数分散配置されているコアに巻装されるコイルの特徴構成は、一対の前記スロット間に複数回巻回される同芯巻部を複数備え、前記同芯巻部のそれぞれは、前記周方向の一方側である周第一方向側に配置される第一コイル辺部と、前記周第一方向とは反対側である周第二方向側に配置され且つ前記第一コイル辺部と同数の第二コイル辺部とを、前記スロットの内部に配置されるコイル辺部として備えると共に、互いに異なる前記スロット内に配置される前記第一コイル辺部と前記第二コイル辺部とを前記コアに対して前記軸方向の外側において接続する渡り部を備え、前記複数の同芯巻部には、複数本の前記第一コイル辺部を備える第一同芯巻部と、前記第一同芯巻部に比べて１本少ない本数の前記第一コイル辺部を備える第二同芯巻部の２種類が含まれ、前記径方向の一方側を径第一方向側とし、前記径第一方向とは反対側を径第二方向側とし、前記スロット内の最も前記径第一方向側の層である第一層に配置される前記第一コイル辺部を第一層第一コイル辺部とし、前記スロット内の最も前記径第二方向側の層である第二層に配置される前記第一コイル辺部及び前記第二コイル辺部をそれぞれ第二層第一コイル辺部及び第二層第二コイル辺部として、前記第一同芯巻部は、前記第一層第一コイル辺部における前記渡り部との接続部とは反対側の端部から前記周第一方向側に延びる第一延在部と、前記第二層第二コイル辺部における前記渡り部との接続部とは反対側の端部から前記周第二方向側に延びる第二延在部と、前記第二層第一コイル辺部と前記第二層第二コイル辺部とを接続する前記渡り部である特定渡り部とを備え、前記第二同芯巻部は、前記第一層第一コイル辺部における前記渡り部との接続部とは反対側の端部から前記周第二方向側に延びる第三延在部と、前記スロット内の前記第二層に対して前記径第一方向側に隣接する層に配置される前記第二コイル辺部における前記渡り部との接続部とは反対側の端部から前記周第一方向側に延びる第四延在部とを備え、１つの前記スロットには、前記第一同芯巻部の前記第二層第二コイル辺部を除いて、前記第一同芯巻部及び前記第二同芯巻部の一方の前記第一コイル辺部と、他方の前記第二コイル辺部とが前記径方向に交互に配置され、前記第一同芯巻部の前記第一延在部の先端部に設けられた第一接続部と、当該第一同芯巻部の前記第一コイル辺部が配置される前記スロットに前記第二コイル辺部が配置される前記第二同芯巻部の、前記第三延在部の先端部に設けられた第三接続部とが、当該第二同芯巻部の前記渡り部の前記周方向の配置領域内において接続され、前記第一同芯巻部の前記第二延在部の先端部に設けられた第二接続部と、当該第一同芯巻部の前記第二コイル辺部が配置される前記スロットに前記第一コイル辺部が配置される前記第二同芯巻部の、前記第四延在部の先端部に設けられた第四接続部とが、当該第二同芯巻部の前記渡り部の前記周方向の配置領域内において接続され、前記第一延在部及び前記第三延在部の一方が、他方に対して前記径第一方向側にオフセットして配置されると共に、前記特定渡り部における前記第二層第二コイル辺部との接続部から前記周第一方向側に延びる部分と、前記特定渡り部における前記第二層第一コイル辺部との接続部から前記周第二方向側に延びる部分とのうちの一方が、他方に対して前記径第二方向側にオフセットして配置されている点にある。
【０００７】
上記の特徴構成によれば、１つの第二同芯巻部に備えられる第一コイル辺部や第二コイル辺部の本数が、１つの第一同芯巻部に備えられる第一コイル辺部や第二コイル辺部の本数よりも１本少ないため、第一同芯巻部及び第二同芯巻部の一方に備えられる第一コイル辺部の本数と、他方に備えられる第二コイル辺部の本数との和は、常に奇数となる。よって、第一同芯巻部の第二層第二コイル辺部を除いて、第一同芯巻部及び第二同芯巻部の一方の第一コイル辺部と、他方の第二コイル辺部とが径方向に交互に配置されるスロット内における、径方向に並んで配置されるコイル辺部の本数を、容易に奇数とすることができる。すなわち、第一同芯巻部及び第二同芯巻部の一方の第一コイル辺部が配置されるスロットに第一同芯巻部及び第二同芯巻部の他方の第二コイル辺部が配置されるように、複数の同芯巻部を周方向に分散配置することで、１つのスロット内において径方向に並んで配置されるコイル辺部の本数を奇数とすることが可能である。よって、１層単位で巻装されるコイルを別途用いる場合等に比べて容易に、１つのスロット内において径方向に並んで配置されるコイル辺部の本数が奇数のコイルを実現することができる。
また、上記の特徴構成によれば、巻回対象の一対のスロットの一方が共通となるように周方向に隣接して配置される第一同芯巻部と第二同芯巻部とを、適切に接続してコイルを形成することができる。この際、第一同芯巻部と第二同芯巻部との接続は、当該第二同芯巻部（すなわち、接続対象の第二同芯巻部）の渡り部の周方向の配置領域内で行われる。そのため、第一延在部、第二延在部、第三延在部、及び第四延在部の各延在部の長さを短く抑えてコイルエンド部の小型化を図ることもできる。
更に、上記の特徴構成によれば、第一延在部及び第三延在部の一方が、他方に対して径第一方向側にオフセットして配置される。よって、第一延在部と第三延在部との間の干渉を回避しつつ、第一同芯巻部と、当該第一同芯巻部の接続対象ではない第二同芯巻部とを、それぞれの周方向の配置領域を一部重複させて配置することができる。また、特定渡り部における第二層第二コイル辺部との接続部から周第一方向側に延びる部分と、特定渡り部における第二層第一コイル辺部との接続部から周第二方向側に延びる部分とのうちの一方が、他方に対して径第二方向側にオフセットして配置される。よって、スロット内における最も径第二方向側の層（第二層）に配置されるコイル辺部同士を接続する特定渡り部が、他の第一同芯巻部の特定渡り部と干渉することを回避しつつ、複数の第一同芯巻部を、それぞれの周方向の配置領域を一部重複させて配置することができる。この結果、コイルを適切に形成することができる。
【図面の簡単な説明】
【０００８】
【図１】本発明の実施形態に係るステータの斜視図である。
【図２】本発明の実施形態に係る同芯巻セットの斜視図である。
【図３】本発明の実施形態に係る同相の２つの同芯巻セットの斜視図である。
【図４】本発明の実施形態に係る第一同芯巻部の軸方向視図である。
【図５】本発明の実施形態に係る第一同芯巻部の斜視図である。
【図６】本発明の実施形態に係る第二同芯巻部の軸方向視図である。
【図７】本発明の実施形態に係る第二同芯巻部の斜視図である。
【図８】本発明の実施形態に係るステータの一部の断面図である。
【図９】本発明のその他の実施形態に係る同芯巻セットの斜視図である。
【図１０】本発明のその他の実施形態に係る第一同芯巻部の軸方向視図である。
【図１１】本発明のその他の実施形態に係る第一同芯巻部の斜視図である。
【図１２】本発明のその他の実施形態に係る第二同芯巻部の軸方向視図である。
【図１３】本発明のその他の実施形態に係る第二同芯巻部の斜視図である。
【図１４】本発明のその他の実施形態に係るステータの一部の断面図である。
【発明を実施するための形態】
【０００９】
本発明に係るコイルの実施形態について、図面を参照して説明する。ここでは、本発明に係るコイルを、図１に示すように、回転電機のステータ１に巻装されるコイル３に適用した場合を例として説明する。すなわち、本実施形態では、コイル３が巻装されるコア２０は、ステータ１のコア（ステータコア）である。なお、「回転電機」は、モータ（電動機）、ジェネレータ（発電機）、及び必要に応じてモータ及びジェネレータの双方の機能を果たすモータ・ジェネレータのいずれをも含む概念として用いている。
【００１０】
以下の説明では、特に区別して明記している場合を除き、「軸方向Ｌ」、「周方向Ｃ」、及び「径方向Ｒ」は、コア２０の軸心を基準として定義している。ここで、コア２０の軸心は、コア２０の円筒状の内周面２１の軸心であり、コア２０の外周面２２（取付用の突出部がある場合には当該突出部を除く円筒状の部分）の軸心でもある。「軸第一方向Ｌ１」は、軸方向Ｌにおける一方側へ向かう方向を表し、「軸第二方向Ｌ２」は、軸方向Ｌにおける他方側へ向かう方向（軸第一方向Ｌ１とは反対方向）を表す。「周第一方向Ｃ１」は、周方向Ｃにおける一方側へ向かう方向を表し、「周第二方向Ｃ２」は、周方向Ｃにおける他方側へ向かう方向（周第一方向Ｃ１とは反対方向）を表す。ここでは、図１に示すように、軸第一方向Ｌ１側から軸方向Ｌに沿って見た場合の時計回り方向が、周第一方向Ｃ１である。また、「径第一方向Ｒ１」は、径方向Ｒにおける一方側へ向かう方向を表し、「径第二方向Ｒ２」は、径方向Ｒにおける他方側へ向かう方向（径第一方向Ｒ１とは反対方向）を表す。本実施形態では、図１等に示すように、径第一方向Ｒ１は、径方向Ｒの外側へ向かう方向であり、径第二方向Ｒ２は、径方向Ｒの内側へ向かう方向である。
【００１１】
以下では、コイル３がコア２０に巻装された状態（図１に示す状態）を想定し、軸方向Ｌ、周方向Ｃ、及び径方向Ｒの各方向を用いてコイル３についての説明を行う。また、本明細書では、寸法、配置方向、配置位置等に関する用語（例えば、平行等）は、誤差（製造上許容され得る程度の誤差）による差異を有する状態も含む概念として用いている。
【００１２】
１．ステータの全体構成
ステータ１は、図１に示すように、コア２０と、コア２０に巻装されるコイル３とを備えている。ステータ１は、回転界磁型の回転電機に用いられるステータであり、電機子として機能する。コア２０に対して径方向Ｒの内側（本実施形態では、径第二方向Ｒ２側）には、永久磁石や電磁石等を備えた界磁としてのロータ（図示せず）が配置され、ステータ１から発生する回転磁界によりロータが回転する。本実施形態では、ステータ１は、三相交流（多相交流の一例）で駆動される回転電機のステータであり、Ｕ相コイル、Ｖ相コイル、及びＷ相コイルの３つの相コイルを備えたコイル３が、コア２０に巻装される。コア２０は、磁性材料を用いて形成される。例えば、複数枚の磁性体板（例えば、ケイ素鋼板等の電磁鋼板）を積層してコア２０が形成され、或いは、磁性材料の粉体を加圧成形してなる圧粉材を主な構成要素としてコア２０が形成される。
【００１３】
コア２０には、軸方向Ｌ及び径方向Ｒに延びるスロット４０が、周方向Ｃに複数分散配置されている。スロット４０のそれぞれは、軸方向Ｌの両側及び径方向Ｒの内側（本実施形態では、径第二方向Ｒ２側）に開口部を有する。複数のスロット４０は、周方向Ｃに沿って一定間隔で配置されている。本実施形態では、Ｕ相用のスロット４０、Ｖ相用のスロット４０、及びＷ相用のスロット４０が、周方向Ｃに沿って繰り返し現れるように配置されている。本実施形態では、毎極毎相あたりのスロット数が“２”であり、コア２０には、各相用のスロット４０が周方向Ｃに沿って２つずつ繰り返し現れるように配置されている。また、本実施形態では、毎相あたりの磁極数が“８”（磁極対数が“４”）であり、コア２０には合計で４８（＝２×８×３）個のスロット４０が配置されている。周方向Ｃに隣接する２つのスロット４０の間にはティース２３が形成される。ティース２３のそれぞれは、コア２０における環状部（ヨーク部）から径方向Ｒの内側（本実施形態では、径第二方向Ｒ２側）に延びるように形成される。コア２０の内周面２１は、複数のティース２３のそれぞれの径方向Ｒの内側（本実施形態では、径第二方向Ｒ２側）の端面を含む円筒状の仮想面である。
【００１４】
２．コイルの構成
コイル３は、線状の導体である線状導体４（図４〜図７参照）を用いて形成される。線状導体４は、銅やアルミニウム等の導電性を有する材料を用いて形成され、線状導体４の表面には、樹脂等の電気的絶縁性を有する材料からなる絶縁皮膜が形成されている。本実施形態では、延在方向に直交する断面の形状が矩形状の線状導体４（すなわち、平角線）を用いている。ここで、「矩形状」には、角部が円弧状の矩形や、内角の大きさと９０度との差の絶対値が予め定められた角度（例えば、５度や１０度等）未満の矩形を含む。
【００１５】
コイル３は、一対のスロット４０間に複数回巻回される同芯巻部１０（言い換えれば、単コイル部又は重ね巻部）を複数備えている。同芯巻部１０は、コア２０に巻装される前に螺旋状に成形されるカセットコイルである。本実施形態では、一本の連続する線状導体４を成形することで、１つの同芯巻部１０が形成されている。よって、同芯巻部１０の各部は、１本の連続する線状導体４における延在方向の互いに異なる部分により形成される。なお、線状導体４について「連続」とは、継ぎ目なく延在方向に一体に形成されていることを意味する。
【００１６】
本実施形態では、コイル３を構成する複数の同芯巻部１０には、図４及び図５に示すような同芯巻部１０である第一同芯巻部１１と、図６及び図７に示すような同芯巻部１０である第二同芯巻部１２とが含まれる。すなわち、コイル３を構成する複数の同芯巻部１０には、第一同芯巻部１１と第二同芯巻部１２の２種類が含まれる。第一同芯巻部１１と第二同芯巻部１２とは、互いに形状が異なる同芯巻部１０である。具体的には、後述するように、第二同芯巻部１２は、第一同芯巻部１１に比べて１本少ない本数の第一コイル辺部３１を備える。以下では、第一同芯巻部１１と第二同芯巻部１２とを特に区別する必要がない場合、すなわち、第一同芯巻部１１及び第二同芯巻部１２に共通の構成について述べる場合には、これらを総称して同芯巻部１０という。
【００１７】
本実施形態では、主に第一同芯巻部１１及び第二同芯巻部１２の２種類の同芯巻部１０を用いてコイル３が形成されている。コイル３を構成する複数の同芯巻部１０には、巻回方向（電流の流れ方向）に沿った両端部のうちの一端部のみが他の同芯巻部１０に接続される同芯巻部（以下、「特定同芯巻部」という。）が含まれるが、本実施形態では、特定同芯巻部を除く全ての同芯巻部１０が、第一同芯巻部１１又は第二同芯巻部１２とされている。なお、特定同芯巻部は、例えば、電源端子又は中性点と接続される同芯巻部である。特定同芯巻部として、第一同芯巻部１１又は第二同芯巻部１２を用いてもよく、或いは、第一同芯巻部１１及び第二同芯巻部１２のいずれとも形状が異なる同芯巻部を用いてもよい。なお、本明細書では、特定同芯巻部については図示や説明を省略する。
【００１８】
図５及び図７に示すように、同芯巻部１０のそれぞれは、周第一方向Ｃ１側に配置される第一コイル辺部３１と、周第二方向Ｃ２側に配置され且つ第一コイル辺部３１と同数の第二コイル辺部３２とを、スロット４０の内部に配置されるコイル辺部３０として備えている。コイル辺部３０は、図１に示すように、スロット４０内を軸方向Ｌに平行に延びるように配置される。第一同芯巻部１１は、複数本の第一コイル辺部３１を備え、第二同芯巻部１２は、第一同芯巻部１１に比べて１本少ない本数の第一コイル辺部３１を備える。本実施形態では、第二同芯巻部１２は、複数本の第一コイル辺部３１を備えている。また、本実施形態では、１つの同芯巻部１０に備えられる第一コイル辺部３１と第二コイル辺部３２とは、磁極ピッチ（本例では、スロット４０の配設ピッチの６倍）だけ互いに離れた一対のスロット４０に分かれて配置される。すなわち、本実施形態では、同芯巻部１０は、磁極ピッチ（スロット４０の配設ピッチの６倍）だけ互いに離れた一対のスロット４０間に巻回される。そして、スロット４０と同数（本例では４８個）の同芯巻部１０を、周方向Ｃの一方側にスロット４０の配設ピッチ分ずつずらしながら配置することで、コイル３が形成される。本例では、周方向Ｃの一方側にスロット４０の配設ピッチ分ずつずらしながら、第一同芯巻部１１と第二同芯巻部１２とが２つずつ交互に配置されている。
【００１９】
本実施形態では、第一同芯巻部１１は、偶数本の第一コイル辺部３１と、第一コイル辺部３１と同数の偶数本の第二コイル辺部３２とを備えている。本例では、図５及び図８に示すように、第一同芯巻部１１は、４本の第一コイル辺部３１と４本の第二コイル辺部３２とを備えている。また、本実施形態では、第二同芯巻部１２は、奇数本の第一コイル辺部３１と、第一コイル辺部３１と同数の奇数本の第二コイル辺部３２とを備えている。本例では、図７及び図８に示すように、第二同芯巻部１２は、３本の第一コイル辺部３１と３本の第二コイル辺部３２とを備えている。なお、図８では、第一同芯巻部１１及び第二同芯巻部１２のコア２０に対する配置構成の理解を容易にすべく、互いにスロット４０の配設ピッチ分だけ周方向Ｃにずらして配置される第一同芯巻部１１及び第二同芯巻部１２のそれぞれの、第一コイル辺部３１及び第二コイル辺部３２のみを示している。また、図８において後述する渡り部５０を示す二点鎖線は、同一の同芯巻部１０に備えられる第一コイル辺部３１と第二コイル辺部３２との組み合わせを示すためのものであり、渡り部５０の形状を表しているわけではない。ここで、１つの同芯巻部１０が備えるコイル辺部３０の総数（本例の第一同芯巻部１１では８本、本例の第二同芯巻部１２では６本）の半数を、同芯巻部１０の巻回数とすると、本例では、第一同芯巻部１１の巻回数は“４”であり、第二同芯巻部１２の巻回数は“３”である。すなわち、第一同芯巻部１１の巻回数は、第二同芯巻部１２の巻回数よりも１つだけ多い。１つの同芯巻部１０が備える全ての第一コイル辺部３１は、互いに同一のスロット４０に配置される。また、１つの同芯巻部１０が備える全ての第二コイル辺部３２は、互いに同一のスロット４０（但し、当該同芯巻部１０の第一コイル辺部３１が配置されるスロットとは異なるスロット）に配置される。
【００２０】
同芯巻部１０のそれぞれは、互いに異なるスロット４０内に配置される第一コイル辺部３１と第二コイル辺部３２とをコア２０に対して軸方向Ｌの外側において接続する渡り部５０を備えている。第一同芯巻部１１は、複数本の渡り部５０を備え、本例では第二同芯巻部１２も、複数本の渡り部５０を備えている。ここで、コア２０に対して軸第一方向Ｌ１側に備えられる渡り部５０を第一渡り部５１とし、コア２０に対して軸第二方向Ｌ２側に備えられる渡り部５０を第二渡り部５２とする。各相の第一渡り部５１の集合により、コア２０から軸第一方向Ｌ１側に突出するコイルエンド部の少なくとも一部が形成され、各相の第二渡り部５２の集合により、コア２０から軸第二方向Ｌ２側に突出するコイルエンド部の少なくとも一部が形成される。なお、本明細書では、互いに異なる同芯巻部１０のそれぞれのコイル辺部３０同士をコア２０に対して軸方向Ｌの外側において接続する導体（後述する第一延在部８１、第二延在部８２、第三延在部８３、及び第四延在部８４等）は、渡り部５０に含めない。
【００２１】
周方向Ｃの同じ位置で径方向Ｒに並ぶ複数のコイル辺部３０が示される図２から明らかなように、１つのスロット４０には、後述する第一同芯巻部１１の第二層第二コイル辺部３２ｂを除いて、第一同芯巻部１１及び第二同芯巻部１２の一方の第一コイル辺部３１と、他方の第二コイル辺部３２とが径方向Ｒに交互に配置される。すなわち、１つのスロット４０には、複数本のコイル辺部３０が配置される。なお、図２では、発明の理解を容易にすべく、第一同芯巻部１１及び第二同芯巻部１２のうちの第二同芯巻部１２のみに、ハッチングを施している。後に参照する図９についても同様である。１つのスロット４０に配置される複数本のコイル辺部３０は、径方向Ｒに沿って一列に並んで配置される。１本のコイル辺部３０の径方向Ｒの配置領域を１層とすると、各スロット４０には、コイル辺部３０が複数の層に分かれて配置される。１つのスロット４０には、第一同芯巻部１１及び第二同芯巻部１２の一方が備える全ての第一コイル辺部３１と、他方が備える全ての第二コイル辺部３２とが配置される。ここで、１つの第二同芯巻部１２が備える第一コイル辺部３１や第二コイル辺部３２の本数は、１つの第一同芯巻部１１が備える第一コイル辺部３１や第二コイル辺部３２の本数よりも１本少ない。そのため、図２から明らかなように、１つのスロット４０には、合計で３以上の奇数本（本例では７本）のコイル辺部３０が配置される。なお、本実施形態では、スロット４０の配設ピッチの６倍（すなわち磁極ピッチ）だけ周方向Ｃに互いに離間して配置された第一同芯巻部１１及び第二同芯巻部１２のうちの、一方の同芯巻部１０の第一コイル辺部３１と、他方の同芯巻部１０の第二コイル辺部３２とが、互いに同一のスロット４０内に配置される。
【００２２】
ここで、スロット４０内の最も径第一方向Ｒ１側の層（本例では、径方向Ｒの最も外側の層である最外層）を第一層とし、スロット４０内の最も径第二方向Ｒ２側の層（本例では、径方向Ｒの最も内側の層である最内層）を第二層とする。第一層のそれぞれには、第一同芯巻部１１の第一コイル辺部３１、又は第二同芯巻部１２の第一コイル辺部３１が配置される。ここで、スロット４０内の第一層に配置される第一コイル辺部３１を第一層第一コイル辺部３１ａとすると、図５、図７、及び図８に示すように、第一同芯巻部１１及び第二同芯巻部１２の双方が、第一層第一コイル辺部３１ａを備える。一方、第二層のそれぞれには、第一同芯巻部１１の第一コイル辺部３１、又は第一同芯巻部１１の第二コイル辺部３２が配置される。ここで、スロット４０内の第二層に配置される第一コイル辺部３１を第二層第一コイル辺部３１ｂとし、スロット４０内の第二層に配置される第二コイル辺部３２を第二層第二コイル辺部３２ｂとすると、図５及び図８に示すように、第一同芯巻部１１は、第二層第一コイル辺部３１ｂ及び第二層第二コイル辺部３２ｂの双方を備える。第一同芯巻部１１は、互いに同一の層（第二層）に配置される第二層第一コイル辺部３１ｂ及び第二層第二コイル辺部３２ｂを備えることで、第二同芯巻部１２よりも巻回数が１つだけ多くなっている。また、スロット４０内の第二層に対して径第一方向Ｒ１側に隣接する層を隣接層とすると、隣接層のそれぞれには、第一同芯巻部１１の第二コイル辺部３２、又は第二同芯巻部１２の第二コイル辺部３２が配置される。ここで、スロット４０内の隣接層に配置される第二コイル辺部３２を隣接層第二コイル辺部３２ｃとすると、図５、図７、及び図８に示すように、第一同芯巻部１１及び第二同芯巻部１２の双方が、隣接層第二コイル辺部３２ｃを備える。第一層、第二層、及び隣接層のいずれでもないスロット４０内の層である中間層のそれぞれには、第一コイル辺部３１及び第二コイル辺部３２のいずれかが配置される。
【００２３】
本実施形態では、図２及び図８に示すように、１つのスロット４０には、第一同芯巻部１１の第二層第二コイル辺部３２ｂを除いて、第一同芯巻部１１及び第二同芯巻部１２の一方の第一コイル辺部３１と、他方の第二コイル辺部３２とが、１本ずつ径方向Ｒに交互に配置される。具体的には、図８に示すように、１つの第一同芯巻部１１が備える複数本の第一コイル辺部３１は、径方向Ｒに隣接する２つの第一コイル辺部３１の間に１層分の空間が形成されるように、径方向Ｒに沿って隙間をあけながら一列に並んで配置される。この際、複数本の第一コイル辺部３１は、第一層を始点として、径第二方向Ｒ２側に向かって１層おきに配置され、最も径第二方向Ｒ２側に配置される第一コイル辺部３１は、第二層に配置される。そして、当該隙間のそれぞれに、当該第一同芯巻部１１の接続対象の第二同芯巻部１２が備える第二コイル辺部３２が配置される。ここで、第二同芯巻部１２が備える第二コイル辺部３２の本数は、第一同芯巻部１１が備える第一コイル辺部３１の本数よりも１本少ない。よって、１つの第二同芯巻部１２が備える第二コイル辺部３２のそれぞれは、当該第二同芯巻部１２の接続対象の第一同芯巻部１１の第一コイル辺部３１によって、径方向Ｒの両側から挟まれるように配置される。このように、第一同芯巻部１１の第一コイル辺部３１と第二同芯巻部１２の第二コイル辺部３２とが配置されるスロット４０には、第一コイル辺部３１と第二コイル辺部３２とが１本ずつ径方向Ｒに交互に配置される。
【００２４】
また、図８に示すように、１つの第二同芯巻部１２が備える複数本の第一コイル辺部３１は、径方向Ｒに隣接する２つの第一コイル辺部３１の間に１層分の空間が形成されるように、径方向Ｒに沿って隙間をあけながら一列に並んで配置される。この際、複数本の第一コイル辺部３１は、第一層を始点として、径第二方向Ｒ２側に向かって１層おきに配置され、最も径第二方向Ｒ２側に配置される第一コイル辺部３１は、第二層に対して間に１層挟んで径第一方向Ｒ１側に配置される層（隣接層に対して径第一方向Ｒ１側に隣接する層）に配置される。そして、当該隙間のそれぞれに、当該第二同芯巻部１２の接続対象の第一同芯巻部１１が備える第二コイル辺部３２が配置される。ここで、第一同芯巻部１１が備える第二コイル辺部３２の本数は、第二同芯巻部１２が備える第一コイル辺部３１の本数よりも１本多い。そのため、１つの第一同芯巻部１１が備える第二コイル辺部３２の一部のみが、当該第一同芯巻部１１の接続対象の第二同芯巻部１２の第一コイル辺部３１によって、径方向Ｒの両側から挟まれるように配置される。そして、１つの第一同芯巻部１１が備える残りの第二コイル辺部３２は、隣接層と第二層とに配置される。このように、第一同芯巻部１１の第二コイル辺部３２と第二同芯巻部１２の第一コイル辺部３１とが配置されるスロット４０には、第二層に配置される第二コイル辺部３２（第二層第二コイル辺部３２ｂ）を除いて、第一コイル辺部３１と第二コイル辺部３２とが１本ずつ径方向Ｒに交互に配置される。
【００２５】
本実施形態では、互いに異なるスロット４０内の互いに隣接する層にそれぞれ配置される第一コイル辺部３１と第二コイル辺部３２とが、特定渡り部５０ａ以外の渡り部５０によって接続される。ここで、特定渡り部５０ａは、図４及び図５に示すように、第二層第一コイル辺部３１ｂと第二層第二コイル辺部３２ｂとを接続する渡り部５０であり、第一同芯巻部１１に備えられる。すなわち、本実施形態では、１つの同芯巻部１０が備える複数のコイル辺部３０のそれぞれ（但し、第二層第二コイル辺部３２ｂを除く。）は、線状導体４の巻回方向（電流の流れ方向）において隣接する他のコイル辺部３０（すなわち、１本の渡り部５０を介して接続される他のコイル辺部３０）に対して隣接する層に配置される。具体的には、１つの同芯巻部１０が備える複数のコイル辺部３０（但し、第二層第二コイル辺部３２ｂを除く。）は、線状導体４の巻回方向において第一層第一コイル辺部３１ａ側に配置されるコイル辺部（第一層第一コイル辺部３１ａを含む）から順に、第一層から１層ずつ径第二方向Ｒ２側にずらしながら配置される。
【００２６】
上記のように、本実施形態では、渡り部５０のそれぞれ（但し、特定渡り部５０ａを除く。）は、互いに異なるスロット４０内の互いに隣接する層にそれぞれ配置される第一コイル辺部３１と第二コイル辺部３２とを接続する。そして、図４〜図７に示すように、本実施形態では、特定渡り部５０ａを含む渡り部５０のそれぞれは、周方向Ｃにおける中間部分に、同芯巻部１０を構成する線状導体４を径方向Ｒにオフセットさせるオフセット部を備えている。このようなオフセット部６３を備えることで、渡り部５０同士を互いに干渉させることなく、互いに異なるスロット４０内の互いに隣接する層にそれぞれ配置される第一コイル辺部３１と第二コイル辺部３２とを接続するように、渡り部５０のそれぞれを配置することが可能となっている。
【００２７】
具体的には、オフセット部６３は、図４〜図７に示すように、渡り部５０における当該オフセット部６３から線状導体４の巻回方向（線状導体４の延在方向）に沿って第一層第一コイル辺部３１ａ側とは反対側に向かう部分を、渡り部５０における当該オフセット部６３から線状導体４の巻回方向に沿って第一層第一コイル辺部３１ａ側に向かう部分に対して、径第二方向Ｒ２側にオフセットさせるように形成されている。なお、図４及び図６では、発明の理解を容易にすべく、同芯巻部１０におけるコア２０に対して軸第二方向Ｌ２側に配置される部分にハッチングを施している。具体的には、渡り部５０は、オフセット部６３から周方向Ｃに延びる周方向延在部として、第一周方向延在部６１と第二周方向延在部６２とを備えている。図５及び図７に示すように、第一周方向延在部６１は、オフセット部６３から線状導体４の巻回方向に沿って第一層第一コイル辺部３１ａ側とは反対側に向かう部分であり、第二周方向延在部６２は、オフセット部６３から線状導体４の巻回方向に沿って第一層第一コイル辺部３１ａ側に向かう部分である。なお、第一同芯巻部１１については、第一周方向延在部６１は、オフセット部６３から線状導体４の巻回方向に沿って第二層第二コイル辺部３２ｂ側に向かう部分であり、第二同芯巻部１２については、第一周方向延在部６１は、オフセット部６３から線状導体４の巻回方向に沿って隣接層第二コイル辺部３２ｃ側に向かう部分である。そして、渡り部５０に設けられるオフセット部６３によって、当該渡り部５０の第一周方向延在部６１が、当該渡り部５０の第二周方向延在部６２に対して径第二方向Ｒ２側にオフセットされる。すなわち、本実施形態では、特定渡り部５０ａにおける第二層第二コイル辺部３２ｂとの接続部から周第一方向Ｃ１側に延びる部分（第一周方向延在部６１）と、特定渡り部５０ａにおける第二層第一コイル辺部３１ｂとの接続部から周第二方向Ｃ２側に延びる部分（第二周方向延在部６２）とのうちの一方である第一周方向延在部６１が、他方である第二周方向延在部６２に対して径第二方向Ｒ２側にオフセットして配置される。
【００２８】
なお、第一渡り部５１と第二渡り部５２とでは、それぞれに備えられる第一周方向延在部６１と第二周方向延在部６２との間の周方向Ｃの位置関係が逆となっている。すなわち、第一渡り部５１については、第一周方向延在部６１はオフセット部６３に対して周第一方向Ｃ１側に配置され、第二周方向延在部６２はオフセット部６３に対して周第二方向Ｃ２側に配置される。また、第二渡り部５２については、第一周方向延在部６１はオフセット部６３に対して周第二方向Ｃ２側に配置され、第二周方向延在部６２はオフセット部６３に対して周第一方向Ｃ１側に配置される。
【００２９】
第一周方向延在部６１及び第二周方向延在部６２のそれぞれは、オフセット部６３との接続部とは反対側の端部において、屈曲部を介してコイル辺部３０に接続されている。この屈曲部は、第一周方向延在部６１や第二周方向延在部６２の延在方向を、コイル辺部３０の延在方向（軸方向Ｌに平行な方向）に対して周方向Ｃに傾斜した方向とするための周方向屈曲部である。本実施形態では、周方向屈曲部の軸方向Ｌに対する屈曲角は、鋭角に設定されている。なお、コイル辺部３０と周方向延在部（第一周方向延在部６１又は第二周方向延在部６２）との間に形成される周方向屈曲部の、軸方向Ｌに対する屈曲角は、径方向Ｒに沿った見た場合の、コイル辺部３０の周方向屈曲部側の端部から軸方向Ｌに沿ってコア２０から離れる側へ向かうベクトルと、周方向延在部の周方向屈曲部側の端部から当該周方向延在部の延在方向に沿って当該周方向延在部の反対側の端部へ向かうベクトルとのなす角（１８０度以下となる方の角度）である。後述する第一延在部８１、第二延在部８２、第三延在部８３、及び第四延在部８４に接続される周方向屈曲部についても同様である。よって、周方向屈曲部の軸方向Ｌに対する屈曲角が鋭角とは、上記２つのベクトルの内積が正であることを意味する。そのため、第一周方向延在部６１及び第二周方向延在部６２のそれぞれは、周方向Ｃにおいてオフセット部６３側に向かうに従って軸方向Ｌにおける外側（コア２０から離れる側）に向かう傾斜状に形成されている。そして、本実施形態では、図５及び図７に示すように、オフセット部６３は、渡り部５０におけるコア２０から軸方向Ｌに最も離れる部位（頂部）に形成されている。また、本実施形態では、第一周方向延在部６１及び第二周方向延在部６２のそれぞれは、周方向Ｃの延在長さが同程度に設定されている。ここで、２つの部材の長さが「同程度」とは、それぞれの長さが同一である場合に加えて、それぞれの長さに差がある場合であっても、当該差の大きさが、長さが短い方の部材の長さよりも小さい場合を含む概念として用いている。よって、本実施形態では、オフセット部６３は、渡り部５０における周方向Ｃの中央部或いはその近傍に形成される。更に、本実施形態では、図４及び図６に示すように、第一周方向延在部６１及び第二周方向延在部６２のそれぞれは、軸方向Ｌに見て、周方向Ｃに沿って延びる円弧状に形成されている。なお、第一周方向延在部６１の周方向Ｃの延在長さと、第二周方向延在部６２の周方向Ｃの延在長さとが、上記の同程度とはならない程度に互いに異なる構成とすることも可能である。
【００３０】
第一周方向延在部６１及び第二周方向延在部６２のそれぞれの径方向Ｒの配置位置は、上記の周方向屈曲部を介して接続されるコイル辺部３０の径方向Ｒの位置に応じて設定される。具体的には、第二層第二コイル辺部３２ｂに接続される第一周方向延在部６１を除いて、第一周方向延在部６１及び第二周方向延在部６２の径方向Ｒの並び順が、それぞれが接続されるコイル辺部３０の径方向Ｒの並び順と等しくなるように、第一周方向延在部６１及び第二周方向延在部６２のそれぞれの径方向Ｒの配置位置が設定される。また、図４及び図５に示すように、第二層第二コイル辺部３２ｂに接続される第一周方向延在部６１は、特定渡り部５０ａに設けられたオフセット部６３によって、第二層第一コイル辺部３１ｂに接続される第二周方向延在部６２に対して径第二方向Ｒ２側にオフセットして配置されている。よって、図４〜図７に示すように、第一渡り部５１及び第二渡り部５２のそれぞれについて、第一周方向延在部６１と第二周方向延在部６２とが１本ずつ径方向Ｒに交互に（但し、周方向Ｃの互いに異なる位置に）配置される。そして、径方向Ｒに隣接する２つの第一周方向延在部６１の間の隙間に、他の同芯巻部の第二周方向延在部６２が配置されると共に、径方向Ｒに隣接する２つの第二周方向延在部６２の間の隙間に、他の同芯巻部の第一周方向延在部６１が配置される。これにより、渡り部５０同士を互いに干渉させることなく、複数の同芯巻部１０を周方向Ｃの一方側にスロット４０の配設ピッチ分ずつずらしながら配置することが可能となっている。
【００３１】
本実施形態では、第一周方向延在部６１及び第二周方向延在部６２のそれぞれの径方向Ｒの幅は、コイル辺部３０の径方向Ｒの幅に等しく設定されている。そして、本実施形態では、第二層第二コイル辺部３２ｂに接続される第一周方向延在部６１を除いて、第一周方向延在部６１及び第二周方向延在部６２のそれぞれの径方向Ｒの配置位置は、上記の周方向屈曲部を介して接続されるコイル辺部３０と径方向Ｒの同じ位置に設定されている。また、第二層第二コイル辺部３２ｂに接続される第一周方向延在部６１の径方向Ｒの配置位置は、特定渡り部５０ａに設けられたオフセット部６３によって、第二層第一コイル辺部３１ｂに接続される第二周方向延在部６２に対して径第二方向Ｒ２側に１層分オフセットして配置されている。よって、本実施形態では、複数の第一周方向延在部６１は、径方向Ｒに隣接する２つの第一周方向延在部６１の間に１層分の空間が形成されるように、径方向Ｒに沿って隙間をあけながら配置されている。そして、オフセット部６３による第一周方向延在部６１と第二周方向延在部６２との間の径方向Ｒのオフセット量は、１層分（１層に相当する径方向Ｒの幅）に設定されている。なお、第二層第二コイル辺部３２ｂに接続される第一周方向延在部６１の径方向Ｒの配置位置は、第二層第二コイル辺部３２ｂに対して径第二方向Ｒ２側にオフセット（本例では１層分オフセット）して配置される。そのため、図４及び図５に示すように、第二層第二コイル辺部３２ｂに接続される第一周方向延在部６１と、第二層第二コイル辺部３２ｂとの接続部位には、線状導体４を径方向Ｒにオフセットさせるための第二屈曲部９が形成されている。
【００３２】
図２は、上記のような構成を有する同芯巻部１０を複数用いて形成される同芯巻セット５である。なお、同芯巻セット５は、同相の複数の（本例では８個の）同芯巻部１０により形成される。本実施形態では、各相について２つの同芯巻セット５が備えられ（図３参照）、６つの同芯巻セット５を互いに周方向Ｃの位置をずらして配置することで、コイル３が形成される（図１参照）。図２に示すように、周方向Ｃに沿って磁極ピッチ（本例では、スロット４０の配設ピッチの６倍）毎に１つずつ交互に配置される第一同芯巻部１１及び第二同芯巻部１２によって、１つの同芯巻セット５が形成される。すなわち、１つの同芯巻セット５において周方向Ｃに隣接する第一同芯巻部１１及び第二同芯巻部１２は、一方の同芯巻部１０の第一コイル辺部３１と他方の同芯巻部１０の第二コイル辺部３２とが同一のスロット４０に配置されるように（すなわち、同一の周方向Ｃの位置に配置されるように）、コア２０に巻装される。
【００３３】
図２に示すように、１つの同芯巻セット５において周方向Ｃに隣接する第一同芯巻部１１と第二同芯巻部１２とは、第一延在部８１及び第三延在部８３を介して接続され、又は、第二延在部８２及び第四延在部８４を介して接続される。以下、このような第一同芯巻部１１と第二同芯巻部１２との接続構成について説明する。図５に示すように、第一同芯巻部１１は、第一層第一コイル辺部３１ａにおける渡り部５０（第二渡り部５２）との接続部とは反対側の端部から周第一方向Ｃ１側に延びる第一延在部８１と、第二層第二コイル辺部３２ｂにおける渡り部５０（第二渡り部５２）との接続部とは反対側の端部から周第二方向Ｃ２側に延びる第二延在部８２とを備えている。本実施形態では、図４及び図５に示すように、第一延在部８１及び第二延在部８２のそれぞれが、軸方向Ｌに見て、周方向Ｃに沿って延びる円弧状に形成されている。そして、第一延在部８１の先端部（第一層第一コイル辺部３１ａ側とは反対側の端部）には、第一接続部８１ａが設けられ、第二延在部８２の先端部（第二層第二コイル辺部３２ｂ側とは反対側の端部）には、第二接続部８２ａが設けられている。
【００３４】
本実施形態では、第一延在部８１は、第一層第一コイル辺部３１ａにおける渡り部５０との接続部とは反対側の端部から連続して延びるように形成され、第二延在部８２は、第二層第二コイル辺部３２ｂにおける渡り部５０との接続部とは反対側の端部から連続して延びるように形成されている。また、本実施形態では、第一接続部８１ａは、第一延在部８１の先端部から連続して延びるように形成され、第二接続部８２ａは、第二延在部８２の先端部から連続して延びるように形成されている。すなわち、本実施形態では、第一延在部８１、第二延在部８２、第一接続部８１ａ、及び第二接続部８２ａを含む第一同芯巻部１１の全体が、一本の連続する線状導体４を成形することで形成されている。
【００３５】
図７に示すように、第二同芯巻部１２は、第一層第一コイル辺部３１ａにおける渡り部５０（第二渡り部５２）との接続部とは反対側の端部から周第二方向Ｃ２側に延びる第三延在部８３と、隣接層第二コイル辺部３２ｃにおける渡り部５０（第二渡り部５２）との接続部とは反対側の端部から周第一方向Ｃ１側に延びる第四延在部８４とを備えている。本実施形態では、図６及び図７に示すように、第三延在部８３及び第四延在部８４のそれぞれが、軸方向Ｌに見て、周方向Ｃに沿って延びる円弧状に形成されている。そして、第三延在部８３の先端部（第一層第一コイル辺部３１ａ側とは反対側の端部）には、第三接続部８３ａが設けられ、第四延在部８４の先端部（隣接層第二コイル辺部３２ｃ側とは反対側の端部）には、第四接続部８４ａが設けられている。
【００３６】
本実施形態では、第三延在部８３は、第一層第一コイル辺部３１ａにおける渡り部５０との接続部とは反対側の端部から連続して延びるように形成され、第四延在部８４は、隣接層第二コイル辺部３２ｃにおける渡り部５０との接続部とは反対側の端部から連続して延びるように形成されている。また、本実施形態では、第三接続部８３ａは、第三延在部８３の先端部から連続して延びるように形成され、第四接続部８４ａは、第四延在部８４の先端部から連続して延びるように形成されている。すなわち、本実施形態では、第三延在部８３、第四延在部８４、第三接続部８３ａ、及び第四接続部８４ａを含む第二同芯巻部１２の全体が、一本の連続する線状導体４を成形することで形成されている。
【００３７】
そして、図２に示すように、第一同芯巻部１１の第一接続部８１ａと、当該第一同芯巻部１１の第一コイル辺部３１が配置されるスロット４０に第二コイル辺部３２が配置される第二同芯巻部１２の第三接続部８３ａとが、当該第二同芯巻部１２の渡り部５０の周方向Ｃの配置領域内において接続される。また、第一同芯巻部１１の第二接続部８２ａと、当該第一同芯巻部１１の第二コイル辺部３２が配置されるスロット４０に第一コイル辺部３１が配置される第二同芯巻部１２の第四接続部８４ａとが、当該第二同芯巻部１２の渡り部５０の周方向Ｃの配置領域内において接続される。これにより、第一同芯巻部１１のそれぞれが、周方向Ｃの両側に配置される接続対象の第二同芯巻部１２のそれぞれに対して接続されると共に、第二同芯巻部１２のそれぞれが、周方向Ｃの両側に配置される接続対象の第一同芯巻部１１のそれぞれに対して接続される。
【００３８】
第一接続部８１ａ、第二接続部８２ａ、第三接続部８３ａ、及び第四接続部８４ａのそれぞれは、コア２０に対して軸第一方向Ｌ１側に配置される。そのため、第一接続部８１ａと第三接続部８３ａとの接続部と、第二接続部８２ａと第四接続部８４ａとの接続部との双方が、コア２０に対して軸第一方向Ｌ１側に形成される。そして、図２に示すように、１つの同芯巻セット５について、第一接続部８１ａと第三接続部８３ａとの接続部が、周方向Ｃに沿って磁極ピッチ（本例では、スロット４０の配設ピッチの６倍）の２倍毎に配置されると共に、第二接続部８２ａと第四接続部８４ａとの接続部が、周方向Ｃに沿って磁極ピッチ（本例では、スロット４０の配設ピッチの６倍）の２倍毎に配置される。なお、図２に示すように、第一接続部８１ａと第三接続部８３ａとの接続部は、第二接続部８２ａと第四接続部８４ａとの接続部よりも径第一方向Ｒ１側に配置される。
【００３９】
本実施形態では、図４〜図７に示すように、第一接続部８１ａ及び第三接続部８３ａのそれぞれの先端部は、径第一方向Ｒ１側に向かって延びるように形成されている。本例では、第一接続部８１ａ及び第三接続部８３ａのそれぞれの先端部は、径方向Ｒに平行に延びるように形成されている。そして、図２に示すように、第一接続部８１ａと第三接続部８３ａとが軸方向Ｌに重なった状態で互いに接合される。本例では、第一接続部８１ａが第三接続部８３ａに対して軸第一方向Ｌ１側（軸方向Ｌにおけるコア２０とは反対側）から重なるように配置されている。また、本実施形態では、図４〜図７に示すように、第二接続部８２ａ及び第四接続部８４ａのそれぞれの先端部は、径第二方向Ｒ２側に向かって延びるように形成されている。本例では、第二接続部８２ａ及び第四接続部８４ａのそれぞれの先端部は、径方向Ｒに平行に延びるように形成されている。そして、図２に示すように、第二接続部８２ａと第四接続部８４ａとが軸方向Ｌに重なった状態で互いに接合される。本例では、第四接続部８４ａが第二接続部８２ａに対して軸第一方向Ｌ１側（軸方向Ｌにおけるコア２０とは反対側）から重なるように配置されている。なお、第一接続部８１ａと第三接続部８３ａとの接合や、第二接続部８２ａと第四接続部８４ａとの接合は、例えば、ＴＩＧ溶接等のアーク溶接、電子ビーム溶接、レーザビーム溶接、抵抗溶接、ろう付け、半田付け等によって行うことができる。
【００４０】
本実施形態では、図２に示すように、第一同芯巻部１１の第一接続部８１ａと第二同芯巻部１２の第三接続部８３ａとが、当該第二同芯巻部１２の渡り部５０（図６、図７参照）における周方向Ｃの中央部或いはその近傍部と、周方向Ｃの同じ位置において接続される。すなわち、第一延在部８１と第三延在部８３とは、周方向Ｃの延在長さが同程度に設定されている。また、本実施形態では、図２に示すように、第一同芯巻部１１の第二接続部８２ａと第二同芯巻部１２の第四接続部８４ａとが、当該第二同芯巻部１２の渡り部５０（図６、図７参照）における周方向Ｃの中央部或いはその近傍部と、周方向Ｃの同じ位置において接続される。すなわち、第二延在部８２と第四延在部８４とは、周方向Ｃの延在長さが同程度に設定されている。この結果、本実施形態では、第一接続部８１ａと第三接続部８３ａとの接続部と、第二接続部８２ａと第四接続部８４ａとの接続部とが、周方向Ｃの同じ位置において径方向Ｒに並ぶように配置される。なお、本実施形態では、渡り部５０における周方向Ｃの中央部にはオフセット部６３が形成されている。そのため、第一同芯巻部１１の第一接続部８１ａと第二同芯巻部１２の第三接続部８３ａとは、当該第二同芯巻部１２の渡り部５０に形成されたオフセット部６３と周方向Ｃの同じ位置において接続される。また、第一同芯巻部１１の第二接続部８２ａと第二同芯巻部１２の第四接続部８４ａとは、当該第二同芯巻部１２の渡り部５０に形成されたオフセット部６３と周方向Ｃの同じ位置において接続される。なお、第一延在部８１の周方向Ｃの延在長さと、第三延在部８３の周方向Ｃの延在長さとが、同程度とはならない程度に互いに異なる構成とすることも可能である。また、第二延在部８２の周方向Ｃの延在長さと、第四延在部８４の周方向Ｃの延在長さとが、同程度とはならない程度に互いに異なる構成とすることも可能である。
【００４１】
本実施形態では、第一接続部８１ａ及び第三接続部８３ａを介して接続される第一延在部８１及び第三延在部８３のそれぞれは、径方向Ｒに見て、第二同芯巻部１２の渡り部５０（第一渡り部５１）と重複する部分を有するように配置される。なお、第一延在部８１及び第三延在部８３のそれぞれは、第二同芯巻部１２の渡り部５０に対して径第一方向Ｒ１側に配置される。また、本実施形態では、第二接続部８２ａ及び第四接続部８４ａを介して接続される第二延在部８２及び第四延在部８４のそれぞれは、径方向Ｒに見て、第二同芯巻部１２の渡り部（第一渡り部５１）と重複する部分を有するように配置される。なお、第二延在部８２及び第四延在部８４のそれぞれは、第二同芯巻部１２の渡り部５０に対して径第二方向Ｒ２側に配置される。
【００４２】
具体的には、図２及び図５に示すように、第一延在部８１は、屈曲部を介して第一層第一コイル辺部３１ａに接続されている。この屈曲部は、第一延在部８１の延在方向を、コイル辺部３０の延在方向（軸方向Ｌに平行な方向）に対して周方向Ｃに傾斜した方向とするための周方向屈曲部である。本実施形態では、この周方向屈曲部の軸方向Ｌに対する屈曲角は鋭角に設定されており、第一延在部８１は、周第一方向Ｃ１側に向かうに従って軸方向Ｌにおける外側（コア２０から離れる側）に向かう傾斜状に形成されている。そして、図２から明らかなように、第一延在部８１と第一層第一コイル辺部３１ａとの間に設けられた周方向屈曲部と、第二同芯巻部１２の第一渡り部５１における第二周方向延在部６２と第二コイル辺部３２との間に設けられた周方向屈曲部とは、周方向Ｃにおける屈曲方向が互いに等しく（具体的には、周第一方向Ｃ１側に）設定されていると共に、軸方向Ｌに対する屈曲角も同程度に設定されている。これにより、第一延在部８１が、径方向Ｒに見て、第二同芯巻部１２の第一渡り部５１の第二周方向延在部６２と重複する部分を有するように配置される。なお、ここでの屈曲角についての「同程度」は、互いに同一の角度である場合に加えて、径方向Ｒに見て第一延在部８１が第二同芯巻部１２の第一渡り部５１の第二周方向延在部６２と重複する部分を有する範囲内で互いに異なる角度である場合を含む概念である。すなわち、第一延在部８１と第一層第一コイル辺部３１ａとの間に設けられた周方向屈曲部と、第二同芯巻部１２の第一渡り部５１における第二周方向延在部６２と第二コイル辺部３２との間に設けられた周方向屈曲部とは、軸方向Ｌに対する屈曲角が互いに異なっていても良い。
【００４３】
同様に、第三延在部８３と第一層第一コイル辺部３１ａとの間に設けられた周方向屈曲部と、第二同芯巻部１２の第一渡り部５１における第一周方向延在部６１と第一コイル辺部３１との間に設けられた周方向屈曲部とは、周方向Ｃにおける屈曲方向が互いに等しく（具体的には、周第二方向Ｃ２側に）設定されていると共に、軸方向Ｌに対する屈曲角も同程度に設定されている。これにより、第三延在部８３が、径方向Ｒに見て、第二同芯巻部１２の第一渡り部５１の第一周方向延在部６１と重複する部分を有するように配置される。なお、ここでの屈曲角についての「同程度」は、互いに同一の角度である場合に加えて、径方向Ｒに見て第三延在部８３が第二同芯巻部１２の第一渡り部５１の第一周方向延在部６１と重複する部分を有する範囲内で互いに異なる角度である場合を含む概念である。すなわち、第三延在部８３と第一層第一コイル辺部３１ａとの間に設けられた周方向屈曲部と、第二同芯巻部１２の第一渡り部５１における第一周方向延在部６１と第一コイル辺部３１との間に設けられた周方向屈曲部とは、軸方向Ｌに対する屈曲角が互いに異なっていても良い。
【００４４】
また、第二延在部８２と第二層第二コイル辺部３２ｂとの間に設けられた周方向屈曲部と、第二同芯巻部１２の第一渡り部５１における第一周方向延在部６１と第一コイル辺部３１との間に設けられた周方向屈曲部とは、周方向Ｃにおける屈曲方向が互いに等しく（具体的には、周第二方向Ｃ２側に）設定されていると共に、軸方向Ｌに対する屈曲角も同程度に設定されている。これにより、第二延在部８２が、径方向Ｒに見て、第二同芯巻部１２の第一渡り部５１の第一周方向延在部６１と重複する部分を有するように配置される。なお、ここでの屈曲角についての「同程度」は、互いに同一の角度である場合に加えて、径方向Ｒに見て第二延在部８２が第二同芯巻部１２の第一渡り部５１の第一周方向延在部６１と重複する部分を有する範囲内で互いに異なる角度である場合を含む概念である。すなわち、第二延在部８２と第二層第二コイル辺部３２ｂとの間に設けられた周方向屈曲部と、第二同芯巻部１２の第一渡り部５１における第一周方向延在部６１と第一コイル辺部３１との間に設けられた周方向屈曲部とは、軸方向Ｌに対する屈曲角が互いに異なっていても良い。
【００４５】
また、第四延在部８４と隣接層第二コイル辺部３２ｃとの間に設けられた周方向屈曲部と、第二同芯巻部１２の第一渡り部５１における第二周方向延在部６２と第二コイル辺部３２との間に設けられた周方向屈曲部とは、周方向Ｃにおける屈曲方向が互いに等しく（具体的には、周第一方向Ｃ１側に）設定されていると共に、軸方向Ｌに対する屈曲角も同程度に設定されている。これにより、第四延在部８４が、径方向Ｒに見て、第二同芯巻部１２の第一渡り部５１の第二周方向延在部６２と重複する部分を有するように配置される。なお、ここでの屈曲角についての「同程度」は、互いに同一の角度である場合に加えて、径方向Ｒに見て第四延在部８４が第二同芯巻部１２の第一渡り部５１の第二周方向延在部６２と重複する部分を有する範囲内で互いに異なる角度である場合を含む概念である。すなわち、第四延在部８４と隣接層第二コイル辺部３２ｃとの間に設けられた周方向屈曲部と、第二同芯巻部１２の第一渡り部５１における第二周方向延在部６２と第二コイル辺部３２との間に設けられた周方向屈曲部とは、軸方向Ｌに対する屈曲角が互いに異なっていても良い。
【００４６】
本実施形態では、上記のような構成を有する同芯巻セット５を２つ用いて、図３に示すような１つの相コイルが形成される。本例では、スロット４０の配設ピッチだけ互いに周方向Ｃにずらして配置される２つの同芯巻セット５によって、１つの相コイルが形成される。そして、３つの相コイルを、周方向Ｃの一方側にスロット４０の配設ピッチの４倍ずつずらしながら配置することで、図１に示すようなコイル３が形成される。このように複数の同芯巻セット５を互いに周方向Ｃの位置をずらして配置するため、図３に示されるように、第一延在部８１の周方向Ｃの配置領域は、当該第一延在部８１の接続対象ではない第三延在部８３（すなわち、他の同芯巻セット５に備えられる第三延在部８３）の周方向Ｃの配置領域と重複する部分を有する。また、特定渡り部５０ａの周方向Ｃの配置領域は、他の特定渡り部５０ａの周方向Ｃの配置領域と重複する部分を有する。
【００４７】
上記の点に鑑みて、第一延在部８１及び第三延在部８３の一方が、他方に対して径第一方向Ｒ１側にオフセットして配置されると共に、特定渡り部５０ａにおける第二層第二コイル辺部３２ｂとの接続部から周第一方向Ｃ１側に延びる部分と、特定渡り部５０ａにおける第二層第一コイル辺部３１ｂとの接続部から周第二方向Ｃ２側に延びる部分とのうちの一方が、他方に対して径第二方向Ｒ２側にオフセットして配置される構成としている。これにより、互いに異なる同芯巻セット５に備えられる第一延在部８１と第三延在部８３との間の干渉や、互いに異なる特定渡り部５０ａ同士の干渉が回避される。
【００４８】
具体的には、第一延在部８１と第三延在部８３との間の径方向Ｒのオフセット量を、第一延在部８１の径方向Ｒの幅と第三延在部８３の径方向Ｒの幅との和の半分以上に設定している。また、特定渡り部５０ａにおける第二層第二コイル辺部３２ｂとの接続部から周第一方向Ｃ１側に延びる部分（第一周方向延在部６１）と、特定渡り部５０ａにおける第二層第一コイル辺部３１ｂとの接続部から周第二方向Ｃ２側に延びる部分（第二周方向延在部６２）との間の径方向Ｒのオフセット量を、それぞれの部分の径方向Ｒの幅の和（第一周方向延在部６１の径方向Ｒの幅と第二周方向延在部６２の径方向Ｒの幅との和）の半分以上に設定している。なお、ここでの径方向Ｒのオフセット量は、対象となる２つの部材のそれぞれの径方向Ｒの中心位置の差である。上記のようにオフセット量を設定することで、第一延在部８１の径方向Ｒの配置領域と、第三延在部８３の径方向Ｒの配置領域とは、互いに重複しないように連続して径方向Ｒに並ぶように設定され、或いは、不連続部を間に挟んで径方向Ｒに並ぶように設定される。また、特定渡り部５０ａにおける第一周方向延在部６１の径方向Ｒの配置領域と、特定渡り部５０ａにおける第二周方向延在部６２の径方向Ｒの配置領域とは、互いに重複しないように連続して径方向Ｒに並ぶように設定され、或いは、不連続部を間に挟んで径方向Ｒに並ぶように設定される。なお、本実施形態では、第一延在部８１及び第三延在部８３のそれぞれの径方向Ｒの幅は、互いに等しく設定され、具体的には、コイル辺部３０の径方向Ｒの幅に等しく設定されている。また、本実施形態では、第二延在部８２及び第四延在部８４のそれぞれの径方向Ｒの幅は、互いに等しく設定され、具体的には、コイル辺部３０の径方向Ｒの幅に等しく設定されている。
【００４９】
なお、コイルエンド部が径方向Ｒに大型化することを抑制すべく、第一延在部８１と第三延在部８３との間の径方向Ｒのオフセット量を、第一延在部８１の径方向Ｒの幅と第三延在部８３の径方向Ｒの幅との和以下に設定すると好適である。同様に、特定渡り部５０ａにおける第一周方向延在部６１と第二周方向延在部６２との間の径方向Ｒのオフセット量を、第一周方向延在部６１の径方向Ｒの幅と第二周方向延在部６２の径方向Ｒの幅との和以下に設定すると好適である。
【００５０】
本実施形態では、図３に示すように、第三延在部８３が第一延在部８１に対して径第一方向Ｒ１側にオフセットして配置される。よって、径方向Ｒに見て第一延在部８１と第三延在部８３とが交差する部位では、第三延在部８３が第一延在部８１に対して径第一方向Ｒ１側に配置される。また、本実施形態では、図４及び図５に示すように、特定渡り部５０ａに設けられたオフセット部６３によって、特定渡り部５０ａの第一周方向延在部６１が特定渡り部５０ａの第二周方向延在部６２に対して径第二方向Ｒ２側にオフセットして配置される。よって、径方向Ｒに見て特定渡り部５０ａの第一周方向延在部６１と特定渡り部５０ａの第二周方向延在部６２とが交差する部位では、第一周方向延在部６１が第二周方向延在部６２に対して径第二方向Ｒ２側に配置される。そして、本実施形態では、これらの第一周方向延在部６１と第二周方向延在部６２との間の径方向のオフセット量は、第一周方向延在部６１の径方向Ｒの幅と第二周方向延在部６２の径方向の幅との和の半分（すなわち、１層分に相当する径方向Ｒの幅）に設定されている。
【００５１】
本実施形態では、図４及び図５に示すように、第一延在部８１の径方向Ｒの配置位置は、第一層第一コイル辺部３１ａと径方向Ｒの同じ位置に設定されている。また、図６及び図７に示すように、第三延在部８３の径方向Ｒの配置位置は、第一層第一コイル辺部３１ａの径方向Ｒの位置に対して、１層分だけ径第一方向Ｒ１側にオフセットさせた位置に設定されている。すなわち、本実施形態では、第一延在部８１と第三延在部８３との間の径方向Ｒのオフセット量は、第一延在部８１の径方向Ｒの幅と第三延在部８３の径方向の幅との和の半分（すなわち、１層分に相当する径方向Ｒの幅）に設定され、第三延在部８３は、第一延在部８１に対して１層分だけ径第一方向Ｒ１側に配置される。この結果、第一延在部８１と、当該第一延在部８１の接続対象ではない第三延在部８３との間の干渉が回避されている。なお、第三延在部８３は、当該第三延在部８３と第一層第一コイル辺部３１ａとの接続部位に形成された第一屈曲部８によって、第一層第一コイル辺部３１ａに対して径第一方向Ｒ１側に径方向Ｒの位置がオフセットされている。
【００５２】
なお、図３に示されるように、第二延在部８２の周方向Ｃの配置領域は、当該第二延在部８２の接続対象ではない第四延在部８４（すなわち、他の同芯巻セット５に備えられる第四延在部８４）の周方向Ｃの配置領域と重複する部分を有する。ここで、第二延在部８２と第四延在部８４とは、互いに異なる層（具体的には隣接する層）に配置されるコイル辺部３０に上述した周方向屈曲部を介して接続されている。そして、本実施形態では、第二延在部８２及び第四延在部８４のそれぞれの径方向Ｒの配置位置が、接続されているコイル辺部３０の径方向Ｒの位置に応じて設定されている。具体的には、第二延在部８２の径方向Ｒの配置位置が、第二層第二コイル辺部３２ｂと径方向Ｒの同じ位置に設定され、第四延在部８４の径方向Ｒの配置位置が、隣接層第二コイル辺部３２ｃと径方向Ｒの同じ位置に設定されている。これにより、互いに異なる同芯巻セット５に備えられる第二延在部８２と第四延在部８４との間の干渉も回避されている。
【００５３】
３．その他の実施形態
本発明に係るその他の実施形態について説明する。なお、以下のそれぞれの実施形態で開示される構成は、矛盾が生じない限り、他の実施形態で開示される構成と組み合わせて適用することも可能である。
【００５４】
（１）上記の実施形態では、径第一方向Ｒ１が径方向Ｒの外側へ向かう方向であり、径第二方向Ｒ２が径方向Ｒの内側へ向かう方向である構成を例として説明した。しかし、本発明の実施形態はこれに限定されず、径第一方向Ｒ１が径方向Ｒの内側へ向かう方向となり、径第二方向Ｒ２が径方向Ｒの外側へ向かう方向となる構成、すなわち、径方向Ｒの最も外側の層である最外層が第二層となり、径方向Ｒの最も内側の層である最内層が第一層となる構成とすることも可能である。このような構成の例を、図９〜図１４に示す。図１１、図１３、及び図１４に示すように、この例では、上記実施形態とは異なり、第一同芯巻部１１は奇数本（具体的には５本）の第一コイル辺部３１を備え、第二同芯巻部１２は偶数本（具体的には４本）の第一コイル辺部３１を備えている。これ以外の点では、径方向Ｒの内側と外側とが入れ替わる点を除いてこの例は上記実施形態の例と同様に構成されている。
【００５５】
（２）上記の実施形態では、軸方向Ｌにおけるコア２０に対して各延在部（第一延在部８１、第二延在部８２、第三延在部８３、及び第四延在部８４）が配置される側である軸第一方向Ｌ１側から軸方向Ｌに沿って見た場合の、時計回り方向が周第一方向Ｃ１であり、反時計回り方向が周第二方向Ｃ２である構成を例として説明した。しかし、本発明の実施形態はこれに限定されず、軸第一方向Ｌ１側から軸方向Ｌに沿って見た場合の、反時計回り方向が周第一方向Ｃ１となり、時計回り方向が周第二方向Ｃ２となる構成とすることも可能である。例えば、第一屈曲部８及び第二屈曲部９を除いて上記実施形態の例と同様の構成の第一同芯巻部１１と第二同芯巻部１２とを用い、第二同芯巻部１２を上記実施形態の例に比べて径方向Ｒの内側に２層分ずらして配置する構成とすると、軸第一方向Ｌ１側から軸方向Ｌに沿って見た場合の、反時計回り方向が周第一方向Ｃ１となり、時計回り方向が周第二方向Ｃ２となる構成とすることができる。この場合、径方向Ｒの内側へ向かう方向が径第一方向Ｒ１となると共に径方向Ｒの外側へ向かう方向が径第二方向Ｒ２となる点でも、上記実施形態とは異なる。この場合の第一同芯巻部１１の構成は、図４及び図５で符号“８２”が付された延在部が第一延在部とされ、図４及び図５で符号“８１”が付された延在部が第二延在部とされ、図５で符号“３１ａ（３１）”が付されたコイル辺部の軸第二方向Ｌ２側の端部に接続された渡り部が特定渡り部とされるような構成となり、第二同芯巻部１２の構成は、図６及び図７で符号“８４”が付された延在部が第三延在部とされ、図６及び図７で符号“８３”が付された延在部が第四延在部とされるような構成となる。
【００５６】
（３）上記の実施形態では、第三延在部８３が第一延在部８１に対して径第一方向Ｒ１側にオフセットして配置されると共に、特定渡り部５０ａにおける第二層第二コイル辺部３２ｂとの接続部から周第一方向Ｃ１側に延びる部分（第一周方向延在部６１）が、特定渡り部５０ａにおける第二層第一コイル辺部３１ｂとの接続部から周第二方向Ｃ２側に延びる部分（第二周方向延在部６２）に対して径第二方向Ｒ２側にオフセットして配置される構成を例として説明した。しかし、本発明の実施形態はこれに限定されず、第一延在部８１が第三延在部８３に対して径第一方向Ｒ１側にオフセットして配置される構成とすることもできる。また、特定渡り部５０ａの第二周方向延在部６２が特定渡り部５０ａの第一周方向延在部６１に対して径第二方向Ｒ２側にオフセットして配置される構成とすることもできる。
【００５７】
（４）上記の実施形態では、第一延在部８１と第三延在部８３との間の径方向Ｒのオフセット量が１層分に相当すると共に、特定渡り部５０ａにおける第二層第二コイル辺部３２ｂとの接続部から周第一方向Ｃ１側に延びる部分（第一周方向延在部６１）と、特定渡り部５０ａにおける第二層第一コイル辺部３１ｂとの接続部から周第二方向Ｃ２側に延びる部分（第二周方向延在部６２）との間の径方向Ｒのオフセット量が１層分に相当する構成を例として説明した。しかし、本発明の実施形態はこれに限定されず、第一延在部８１と第三延在部８３との間の径方向Ｒのオフセット量や、特定渡り部５０ａの第一周方向延在部６１と特定渡り部５０ａの第二周方向延在部６２との間の径方向Ｒのオフセット量を、１層に相当する径方向Ｒの幅に、絶縁シートが設けられる場合にはその厚みを加算した値や、必要な絶縁距離を加算した値に設定することも可能である。特定渡り部５０ａ以外の渡り部５０についてのオフセット部６３による第一周方向延在部６１と第二周方向延在部６２との間の径方向Ｒのオフセット量についても同様に、１層に相当する径方向Ｒの幅に、絶縁シートが設けられる場合にはその厚みを加算した値や、必要な絶縁距離を加算した値に設定することも可能である。
【００５８】
（５）上記の実施形態では、第一接続部８１ａ及び第三接続部８３ａのそれぞれの先端部が、径第一方向Ｒ１側に向かって延びるように形成されると共に、第二接続部８２ａ及び第四接続部８４ａのそれぞれの先端部が、径第二方向Ｒ２側に向かって延びるように形成される構成を例として説明した。しかし、本発明の実施形態はこれに限定されず、第一接続部８１ａ及び第三接続部８３ａのそれぞれの先端部が、軸方向Ｌの外側（コア２０から離れる側）に向かって延びるように形成される構成とすることもできる。この場合、第一接続部８１ａと第三接続部８３ａとが径方向Ｒに重なった状態で互いに接合される構成とすることができる。また、第二接続部８２ａ及び第四接続部８４ａのそれぞれの先端部が、軸方向Ｌの外側に向かって延びるように形成される構成とすることもできる。この場合、第二接続部８２ａと第四接続部８４ａとが径方向Ｒに重なった状態で互いに接合される構成とすることができる。
【００５９】
（６）上記の実施形態では、図３に示すように、スロット４０の配設ピッチだけ互いに周方向Ｃにずらして配置される２つの同芯巻セット５によって、１つの相コイルが形成される構成を例として説明した。しかし、本発明の実施形態はこれに限定されない。例えば、スロット４０の配設ピッチの５倍又は７倍だけ互いに周方向Ｃにずらして配置される２つの同芯巻セット５によって、１つの相コイルが形成される構成とすることもできる。
【００６０】
（７）上記の実施形態では、毎極毎相あたりのスロット数が“２”であり、１つの相コイルが２つの同芯巻セット５により形成される構成を例として説明した。しかし、本発明の実施形態はこれに限定されず、例えば、毎極毎相あたりのスロット数が“１”であり、１つの相コイルが１つの同芯巻セット５により形成される構成や、毎極毎相あたりのスロット数が“３”であり、１つの相コイルが３つの同芯巻セット５により形成される構成とすることも可能である。
【００６１】
（８）上記の実施形態では、第一同芯巻部１１の第二層第二コイル辺部３２ｂを除いて、１つのスロット４０に、第一コイル辺部３１と第二コイル辺部３２とが１本ずつ径方向Ｒに交互に配置される構成を例として説明した。しかし、本発明の実施形態はこれに限定されず、第一同芯巻部１１及び第二同芯巻部１２の双方が、第一層第一コイル辺部３１ａを備え、第一同芯巻部１１が、第二層第一コイル辺部３１ｂ及び第二層第二コイル辺部３２ｂの双方を備え、第一同芯巻部１１及び第二同芯巻部１２の双方が、隣接層第二コイル辺部３２ｃを備えるという制約の下で、第一層、第二層、及び隣接層のいずれでもないスロット４０内の層である中間層に配置されるコイル辺部３０の径方向Ｒの配置順序を適宜入れ替えることも可能である。例えば、第一同芯巻部１１の第二層第二コイル辺部３２ｂを除いて、１つのスロット４０に、第一コイル辺部３１と第二コイル辺部３２とが複数本ずつ径方向Ｒに交互に配置される構成とすることができる。
【００６２】
（９）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【００６３】
４．本発明の実施形態の概要
以上で説明した本発明の実施形態は、少なくとも以下の構成を備えている。
軸方向（Ｌ）及び径方向（Ｒ）に延びるスロット（４０）が周方向（Ｃ）に複数分散配置されているコア（２０）に巻装されるコイル（３）であって、一対の前記スロット（４０）間に複数回巻回される同芯巻部（１０）を複数備え、前記同芯巻部（１０）のそれぞれは、前記周方向（Ｃ）の一方側である周第一方向（Ｃ１）側に配置される第一コイル辺部（３１）と、前記周第一方向（Ｃ１）とは反対側である周第二方向（Ｃ２）側に配置され且つ前記第一コイル辺部（３１）と同数の第二コイル辺部（３２）とを、前記スロット（４０）の内部に配置されるコイル辺部（３０）として備えると共に、互いに異なる前記スロット（４０）内に配置される前記第一コイル辺部（３１）と前記第二コイル辺部（３２）とを前記コア（２０）に対して前記軸方向（Ｌ）の外側において接続する渡り部（５０）を備え、前記複数の同芯巻部（１０）には、複数本の前記第一コイル辺部（３１）を備える第一同芯巻部（１１）と、前記第一同芯巻部（１１）に比べて１本少ない本数の前記第一コイル辺部（３１）を備える第二同芯巻部（１２）の２種類が含まれ、前記径方向（Ｒ）の一方側を径第一方向（Ｒ１）側とし、前記径第一方向（Ｒ１）とは反対側を径第二方向側（Ｒ２）とし、前記スロット（４０）内の最も前記径第一方向（Ｒ１）側の層である第一層に配置される前記第一コイル辺部（３１）を第一層第一コイル辺部（３１ａ）とし、前記スロット（４０）内の最も前記径第二方向（Ｒ２）側の層である第二層に配置される前記第一コイル辺部（３１）及び前記第二コイル辺部（３２）をそれぞれ第二層第一コイル辺部（３１ｂ）及び第二層第二コイル辺部（３２ｂ）として、前記第一同芯巻部（１１）は、前記第一層第一コイル辺部（３１ａ）における前記渡り部（５０）との接続部とは反対側の端部から前記周第一方向（Ｃ１）側に延びる第一延在部（８１）と、前記第二層第二コイル辺部（３２ｂ）における前記渡り部（５０）との接続部とは反対側の端部から前記周第二方向（Ｃ２）側に延びる第二延在部（８２）と、前記第二層第一コイル辺部（３１ｂ）と前記第二層第二コイル辺部（３２ｂ）とを接続する前記渡り部（５０）である特定渡り部（５０ａ）とを備え、前記第二同芯巻部（１２）は、前記第一層第一コイル辺部（３１ａ）における前記渡り部（５０）との接続部とは反対側の端部から前記周第二方向（Ｃ２）側に延びる第三延在部（８３）と、前記スロット（４０）内の前記第二層に対して前記径第一方向（Ｒ１）側に隣接する層に配置される前記第二コイル辺部（３２）における前記渡り部（５０）との接続部とは反対側の端部から前記周第一方向（Ｃ１）側に延びる第四延在部（８４）とを備え、１つの前記スロット（４０）には、前記第一同芯巻部（１１）の前記第二層第二コイル辺部（３２ｂ）を除いて、前記第一同芯巻部（１１）及び前記第二同芯巻部（１２）の一方の前記第一コイル辺部（３１）と、他方の前記第二コイル辺部（３２）とが前記径方向（Ｒ）に交互に配置され、前記第一同芯巻部（１１）の前記第一延在部（８１）の先端部に設けられた第一接続部（８１ａ）と、当該第一同芯巻部（１１）の前記第一コイル辺部（３１）が配置される前記スロット（４０）に前記第二コイル辺部（３２）が配置される前記第二同芯巻部（１２）の、前記第三延在部（８３）の先端部に設けられた第三接続部（８３ａ）とが、当該第二同芯巻部（１２）の前記渡り部（５０）の前記周方向（Ｃ）の配置領域内において接続され、前記第一同芯巻部（１１）の前記第二延在部（８２）の先端部に設けられた第二接続部（８２ａ）と、当該第一同芯巻部（１１）の前記第二コイル辺部（３２）が配置される前記スロット（４０）に前記第一コイル辺部（３１）が配置される前記第二同芯巻部（１２）の、前記第四延在部（８４）の先端部に設けられた第四接続部（８４ａ）とが、当該第二同芯巻部（１２）の前記渡り部（５０）の前記周方向（Ｃ）の配置領域内において接続され、前記第一延在部（８１）及び前記第三延在部（８３）の一方が、他方に対して前記径第一方向（Ｒ１）側にオフセットして配置されると共に、前記特定渡り部（５０ａ）における前記第二層第二コイル辺部（３２ｂ）との接続部から前記周第一方向（Ｃ１）側に延びる部分と、前記特定渡り部（５０ａ）における前記第二層第一コイル辺部（３１ｂ）との接続部から前記周第二方向（Ｃ２）側に延びる部分とのうちの一方が、他方に対して前記径第二方向（Ｒ２）側にオフセットして配置されている。
【００６４】
このような構成によれば、１つの第二同芯巻部に備えられる第一コイル辺部や第二コイル辺部の本数が、１つの第一同芯巻部に備えられる第一コイル辺部や第二コイル辺部の本数よりも１本少ないため、第一同芯巻部及び第二同芯巻部の一方に備えられる第一コイル辺部の本数と、他方に備えられる第二コイル辺部の本数との和は、常に奇数となる。よって、第一同芯巻部の第二層第二コイル辺部を除いて、第一同芯巻部及び第二同芯巻部の一方の第一コイル辺部と、他方の第二コイル辺部とが径方向に交互に配置されるスロット内における、径方向に並んで配置されるコイル辺部の本数を、容易に奇数とすることができる。すなわち、第一同芯巻部及び第二同芯巻部の一方の第一コイル辺部が配置されるスロットに第一同芯巻部及び第二同芯巻部の他方の第二コイル辺部が配置されるように、複数の同芯巻部を周方向に分散配置することで、１つのスロット内において径方向に並んで配置されるコイル辺部の本数を奇数とすることが可能である。よって、１層単位で巻装されるコイルを別途用いる場合等に比べて容易に、１つのスロット内において径方向に並んで配置されるコイル辺部の本数が奇数のコイルを実現することができる。
また、上記の構成によれば、巻回対象の一対のスロットの一方が共通となるように周方向に隣接して配置される第一同芯巻部と第二同芯巻部とを、適切に接続してコイルを形成することができる。この際、第一同芯巻部と第二同芯巻部との接続は、当該第二同芯巻部（すなわち、接続対象の第二同芯巻部）の渡り部の周方向の配置領域内で行われる。そのため、第一延在部、第二延在部、第三延在部、及び第四延在部の各延在部の長さを短く抑えてコイルエンド部の小型化を図ることもできる。
更に、上記の構成によれば、第一延在部及び第三延在部の一方が、他方に対して径第一方向側にオフセットして配置される。よって、第一延在部と第三延在部との間の干渉を回避しつつ、第一同芯巻部と、当該第一同芯巻部の接続対象ではない第二同芯巻部とを、それぞれの周方向の配置領域を一部重複させて配置することができる。また、特定渡り部における第二層第二コイル辺部との接続部から周第一方向側に延びる部分と、特定渡り部における第二層第一コイル辺部との接続部から周第二方向側に延びる部分とのうちの一方が、他方に対して径第二方向側にオフセットして配置される。よって、スロット内における最も径第二方向側の層（第二層）に配置されるコイル辺部同士を接続する特定渡り部が、他の第一同芯巻部の特定渡り部と干渉することを回避しつつ、複数の第一同芯巻部を、それぞれの周方向の配置領域を一部重複させて配置することができる。この結果、コイルを適切に形成することができる。
【００６５】
また、本発明の実施形態は、前記第一接続部（８１ａ）及び前記第三接続部（８３ａ）を介して接続される前記第一延在部（８１）及び前記第三延在部（８３）のそれぞれは、前記径方向（Ｒ）に見て、前記第二同芯巻部（１２）の前記渡り部（５０）と重複する部分を有するように配置され、前記第二接続部（８２ａ）及び前記第四接続部（８４ａ）を介して接続される前記第二延在部（８２）及び前記第四延在部（８４）のそれぞれは、前記径方向（Ｒ）に見て、前記第二同芯巻部（１２）の前記渡り部（５０）と重複する部分を有するように配置されていると好適である。
【００６６】
この構成によれば、第二同芯巻部の渡り部に対して径方向に隣接する空間を利用して、互いに接続される第一延在部及び第三延在部や、互いに接続される第二延在部及び第四延在部を配置することができるため、コイルエンド部の軸方向における大型化を抑制しつつ各延在部を設けることができる。
【００６７】
また、本発明の実施形態は、前記第一延在部（８１）と前記第三延在部（８３）との間の前記径方向（Ｒ）のオフセット量は、前記第一延在部（８１）の前記径方向（Ｒ）の幅と前記第三延在部（８３）の前記径方向（Ｒ）の幅との和の半分以上であって当該和以下に設定され、前記特定渡り部（５０ａ）における前記第二層第二コイル辺部（３２ｂ）との接続部から前記周第一方向（Ｃ１）側に延びる部分と、前記特定渡り部（５０ａ）における前記第二層第一コイル辺部（３１ｂ）との接続部から前記周第二方向（Ｃ２）側に延びる部分との間の前記径方向（Ｒ）のオフセット量は、それぞれの部分の前記径方向（Ｒ）の幅の和の半分以上であって当該和以下に設定されていると好適である。
【００６８】
この構成によれば、コイルエンド部が径方向に大型化することを抑制或いは大型化の程度を低く抑えつつ、第一延在部と第三延在部との間の干渉や、特定渡り部における第二層第二コイル辺部との接続部から周第一方向側に延びる部分と、他の特定渡り部における第二層第一コイル辺部との接続部から周第二方向側に延びる部分との間の干渉を適切に回避することができる。
【００６９】
また、本発明の実施形態は、前記第一接続部（８１ａ）及び前記第三接続部（８３ａ）のそれぞれの先端部は、前記径第一方向（Ｒ１）側に向かって延びるように形成され、前記第二接続部（８２ａ）及び前記第四接続部（８４ａ）のそれぞれの先端部は、前記径第二方向（Ｒ２）側に向かって延びるように形成されていると好適である。
【００７０】
この構成によれば、第一接続部及び第三接続部のそれぞれの先端部が軸方向に平行に延びるように形成される場合や、第二接続部及び第四接続部のそれぞれの先端部が軸方向に平行に延びるように形成される場合、或いは、第一接続部、第二接続部、第三接続部、及び第四接続部のそれぞれの先端部が軸方向に平行に延びるように形成される場合に比べて、これらの接続部が配置される側のコイルエンド部の軸方向における小型化を図ることができる。
【００７１】
また、本発明の実施形態は、１つの前記スロット（４０）には、前記第一同芯巻部（１１）の前記第二層第二コイル辺部（３２ｂ）を除いて前記第一コイル辺部（３１）と前記第二コイル辺部（３２）とが１本ずつ前記径方向（Ｒ）に交互に配置されると共に、互いに異なる前記スロット（４０）内の互いに隣接する層にそれぞれ配置される前記第一コイル辺部（３１）と前記第二コイル辺部（３２）とが前記特定渡り部（５０ａ）以外の前記渡り部（５０）により接続され、前記渡り部（５０）のそれぞれは、前記周方向（Ｃ）における中間部分に、前記同芯巻部（１０）を構成する線状導体（４）を前記径方向（Ｒ）にオフセットさせるオフセット部（６３）を備え、前記オフセット部（６３）は、前記渡り部（５０）における当該オフセット部（６３）から前記線状導体（４）の巻回方向に沿って前記第一層第一コイル辺部（３１ａ）側とは反対側に向かう部分を、前記渡り部（５０）における当該オフセット部（６３）から前記線状導体（４）の巻回方向に沿って前記第一層第一コイル辺部（３１ａ）側に向かう部分に対して、前記径第二方向（Ｒ２）側にオフセットさせるように形成されていると好適である。
【００７２】
この構成によれば、周方向に隣接する複数の同芯巻部を、渡り部同士を互いに干渉させることなく、それぞれの周方向の配置領域を一部重複させて配置することができる。また、上記の構成によれば、特定渡り部以外の渡り部が、互いに異なるスロット内の互いに隣接する層にそれぞれ配置される第一コイル辺部と第二コイル辺部とを接続するため、特定渡り部以外の渡り部が、互いに異なるスロット内の互いに２層以上離れた層にそれぞれ配置される第一コイル辺部と第二コイル辺部とを接続する場合に比べて、オフセット部が占める空間の低減を図ることができ、この結果、コイルエンド部の小型化を図ることができる。
【産業上の利用可能性】
【００７３】
本発明は、軸方向及び径方向に延びるスロットが周方向に複数分散配置されているコアに巻装されるコイルに利用することができる。
【符号の説明】
【００７４】
３：コイル
１０：同芯巻部
１１：第一同芯巻部
１２：第二同芯巻部
２０：コア
３０：コイル辺部
３１：第一コイル辺部
３１ａ：第一層第一コイル辺部
３１ｂ：第二層第一コイル辺部
３２：第二コイル辺部
３２ｂ：第二層第二コイル辺部
３２ｃ：隣接層第二コイル辺部
４０：スロット
５０：渡り部
５０ａ：特定渡り部
６３：オフセット部
８１：第一延在部
８１ａ：第一接続部
８２：第二延在部
８２ａ：第二接続部
８３：第三延在部
８３ａ：第三接続部
８４：第四延在部
８４ａ：第四接続部
Ｃ：周方向
Ｃ１：周第一方向
Ｃ２：周第二方向
Ｌ：軸方向
Ｒ：径方向
Ｒ１：径第一方向
Ｒ２：径第二方向
【図１】
2016123249.tif 000003
【図２】
2016123249.tif 000004
【図３】
2016123249.tif 000005
【図４】
2016123249.tif 000006
【図５】
2016123249.tif 000007
【図６】
2016123249.tif 000008
【図７】
2016123249.tif 000009
【図８】
2016123249.tif 000010
【図９】
2016123249.tif 000011
【図１０】
2016123249.tif 000012
【図１１】
2016123249.tif 000013
【図１２】
2016123249.tif 000014
【図１３】
2016123249.tif 000015
【図１４】
2016123249.tif 000016